(57)【特許請求の範囲】
【請求項１】
紙葉類を立った状態で集積する紙葉類集積装置であって、
立った状態で投入される紙葉類を集積する底面板と、
前記底面板上に投入される紙葉類の移動を停止させる側面板と、
回転することによって、投入される紙葉類に断続的に接触し、紙葉類を前記側面板の位置まで引き込むプレートと、
前記プレートと対向し、立った状態で投入される紙葉類が底面板上に倒れることを防止する支持部材と、
前記支持部材と前記プレートとの距離が変化するように前記支持部材を移動させるガイド棒と、
前記支持部材を前記プレートの方向に引っ張るばね部材と、
前記プレートの回転軸と前記支持部材との間に設けられ、投入された紙葉類を前記側面板側に導き、投入された紙葉類が前記プレートの回転軸の方向に進むことを防止するガイド板とを備え、
前記底面板は、立った状態で投入される紙葉類が前記支持部材側に傾くように傾斜し、かつ、紙葉類が投入される側が、前記側面板が設けられる側よりも高くなるように傾斜し、
前記ガイド板は、プレートの一部が支持部材側に張り出す窓部を備え、
前記プレートは、一枚あるいは複数枚の羽根を備え、各羽根が紙葉類に接触する
ことを特徴とする紙葉類集積装置。
【請求項２】
プレートが備える羽根の先端は、Ｌ字型に曲がっている請求項１記載の紙葉類集積装置。
【請求項３】
ばね部材は、伸びが大きくなれば、元の長さに復元しようとする力も大きくなるばね部材である請求項１または請求項２記載の紙葉類集積装置。
【請求項４】
強さが異なる複数のばね部材によって、支持部材をプレートの方向に引っ張る請求項１から請求項３のうちのいずれか１項記載の紙葉類集積装置。
【請求項５】
一端が支持部材に取り付けられ、他端が定位置に固定されるワイヤと、前記ワイヤがかけられる動滑車とを備え、ばね部材は、前記動滑車を引っ張ることにより支持部材をプレートの方向に引っ張る請求項１から請求項４のうちのいずれか１項記載の紙葉類集積装置。
【請求項６】
強さが異なる複数のばね部材を備え、ワイヤは、複数の動滑車にかけられ、各ばね部材は、各動滑車を引っ張ることにより支持部材をプレートの方向に引っ張る請求項５記載の紙葉類集積装置。
【請求項７】
ワイヤに引っ張られて移動する動滑車の移動距離を制限するストッパ部を備えた請求項６記載の紙葉類集積装置。
【発明の詳細な説明】
【０００１】
【発明の属する技術分野】
本発明は、紙葉類集積装置に関し、特に、紙葉類を立った状態で集積する紙葉類集積装置に関する。
【０００２】
【従来の技術】
郵便局等では、郵便物を集積するための紙葉類集積装置が用いられている。
図７は、実開平１−１３２６４３号公報に記載された紙葉類集積装置の例を示す斜視図である。紙葉類１８０は、ベルト１８１，１８２に挟まれ、ベルト１８１，１８２が周回することにより、支持板１０４と集積ローラ１０５との間に搬送される。支持板１０４と集積ローラ１０５との間に集積される紙葉類１９０が増加していくにつれ、支持板１０４は集積ローラ１０５から遠ざかるように移動していく。以下、紙葉類集積装置の中に集積された紙葉類を集積紙葉類と記す。
【０００３】
支持板１０４には、集積ローラ１０５の方向に一定の力が加えられる。支持板１０４は、集積ローラ１０５方向への力が加えられることによって、集積ローラ１０５との間に集積紙葉類１９０を挟み、集積紙葉類１９０が倒れないように支える。一方、集積紙葉類１９０は、支持板１０４に寄りかかることによって、立ったまま集積していく。集積紙葉類１９０の量が増加するにつれ、保持摺動部１０７は、ガイド棒１０６に沿って移動する。
支持板１０４に一定の力を加える手段として、例えば、おもりや定加重ばね等（図７において図示せず。）で保持摺動部１０７を引っ張ることにより、支持板１０４に一定の力が加えられる。なお、定加重ばねは、ばねの伸びによらず元の長さに戻ろうとする力が一定であるばねである。
【０００４】
また、集積ローラ１０５と支持板１０４との間に搬送される紙葉類１８０は、集積ローラ１０５が回転することによって、先端１８０ａが側面板１０３に到達するまで移動する。したがって、集積紙葉類１９０は、先端１９０ａが側面板１０３において揃った状態で集積していく。
【０００５】
紙葉類１８０が集積ローラ１０５と支持板１０４との間に搬送される際、先端１８０ａが、集積紙葉類１９０の末端１９０ｂに当たらないようすることが好ましい。そのため、底面板１０２にベルト（図７において図示せず。）を設けて、このベルトを周回させて集積紙葉類１９０を支持板１０４に押しあてる場合があった。図８は、ベルトによって集積紙葉類１９０が支持板１０４に押しあてられる状態を示す説明図である。ベルト１９１は、底面板を取り込むように取り付けられ、底面板１０２上において集積ローラ１０５から支持板１０４に向かう方向に進むように周回する。ベルト１９１の上に立った状態で集積される集積紙葉類１９０は、ベルト１９１によって支持板１０４に押しあてられる。この結果、搬送される紙葉類１８０の先端１８０ａは、集積紙葉類１９０の末端１９０ｂに当たりにくくなり、円滑に集積されていく。
【０００６】
【発明が解決しようとする課題】
底面板１０２にベルト１９１を取り付け、ベルト１９１によって集積紙葉類１９０を支持板１０４に押しあてる場合には、ベルト１９１を駆動するモータ等が必要になる。紙葉類集積装置の構成を簡易化するためには、ベルト１９１や、ベルト１９１を駆動するモータ等を用いないことが好ましい。
【０００７】
また、支持板１０４は、集積ローラ１０５の方向に一定の力が加えられることによって、集積紙葉類１９０を支えている。支持板１０４に加えられる集積ローラ１０５方向への力は一定であるので、集積紙葉類１９０が増加しても支持板１０４は一定の力で集積紙葉類１９０を支える。一方、集積紙葉類１９０が支持板１０４に寄りかかろうとする力は、集積紙葉類１９０が増加するにつれて大きくなる。したがって、集積紙葉類１９０が支持板１０４に寄りかかろうとする力が、支持板１０４が集積紙葉類１９０を支えようとする力より大きくなると、支持板１０４は集積紙葉類１９０を支えられなくなり、集積紙葉類１９０は倒れてしまう。
【０００８】
また、紙葉類１８０は、先端１８０ａが側面板１０３に達したときに移動を停止し、集積紙葉類１９０として集積されるが、集積ローラ１０５は、回転し続ける。このため、移動を停止した紙葉類は、次の紙葉類が搬送されるまでの間、回転する集積ローラ１０５に接触している。しかし、集積ローラ１０５との接触時間は少ない方が好ましいであろう。
【０００９】
本発明は、簡単な構成で紙葉類を立ったまま集積することができる紙葉類集積装置を提供することを目的とする。また、集積紙葉類が増加しても集積紙葉類を立ったまま支えることが可能な紙葉類集積装置を提供することを目的とする。また、回転する部材が集積紙葉類に接触する時間を短縮することができる紙葉類集積装置を提供することを目的とする。
【００１０】
【課題を解決するための手段】
本発明による紙葉類集積装置は、紙葉類を立った状態で集積する紙葉類集積装置であって、立った状態で投入される紙葉類を集積する底面板と、前記底面板上に投入される紙葉類の移動を停止させる側面板と、回転することによって、投入される紙葉類に断続的に接触し、紙葉類を前記側面板の位置まで引き込むプレートと、前記プレートと対向し、立った状態で投入される紙葉類が底面板上に倒れることを防止する支持部材と、前記支持部材と前記プレートとの距離が変化するように前記支持部材を移動させるガイド棒と、前記支持部材を前記プレートの方向に引っ張るばね部材とを備え、前記底面板は、立った状態で投入される紙葉類が前記支持部材側に傾くように傾斜していることを特徴とする。
【００１１】
ばね部材は、伸びが大きくなれば、元の長さに復元しようとする力も大きくなるばね部材である。このような構成によれば、集積紙葉類の量が増加しても、支持部材が集積紙葉類を支えきれずに集積紙葉類を倒してしまうことを防止できる。
【００１２】
また、強さが異なる複数のばね部材によって、支持部材をプレートの方向に引っ張る構成であることが好ましい。このような構成によれば、一つのばね部材で集積紙葉類を支えられなくなった場合でも、他のばね部材が集積紙葉類を支えることができるので、集積紙葉類を倒してしまうことを防止できる。
【００１３】
紙葉類集積装置は、例えば、一端が支持部材に取り付けられ、他端が定位置に固定されるワイヤと、前記ワイヤがかけられる動滑車とを備え、ばね部材は、前記動滑車を引っ張ることにより支持部材をプレートの方向に引っ張る構成である。また、強さが異なる複数のばね部材を備え、ワイヤは、複数の動滑車にかけられ、各ばね部材は、各動滑車を引っ張ることにより支持部材をプレートの方向に引っ張る構成であることが好ましい。さらに、ワイヤに引っ張られて移動する動滑車の移動距離を制限するストッパ部を備えることが好ましい。このような構成によれば、動滑車の移動距離が制限され、他のばね部材が集積紙葉類を支えるので、集積紙葉類を倒してしまうことを防止できる。
【００１４】
プレートは、例えば、一枚あるいは複数枚の羽根を備え、各羽根が紙葉類に接触する。プレートが備える羽根の先端は、Ｌ字型に曲がっていてもよい。
【００１５】
投入された紙葉類がプレートの回転軸の方向に進むことを防止するガイド板をプレートの回転軸と支持部材との間に備え、ガイド板は、プレートの一部が支持部材側に張り出す窓部を備えることが好ましい。このような構成によれば、紙葉類がプレートの回転軸の方向に進むことがなく、紙葉類を円滑に集積させることができる。
【００１６】
底面板は、紙葉類が投入される側が、側面板が設けられる側よりも高くなるように傾斜していることが好ましい。このような構成によれば、投入された紙葉類をプレートによって確実に側面板まで引き込むことができる。
【００１７】
【発明の実施の形態】
以下、本発明の実施の形態を図面を参照して説明する。
ここでは、紙葉類として郵便物が搬送され、紙葉類集積装置に集積される場合を例に説明する。図１は、本発明による紙葉類集積装置の一例である郵便物集積装置を示す斜視図である。郵便物集積装置は、郵便物を集積する底面板２と、郵便物が底面板２から落ちないように支える側面板３と、立った状態で集積される郵便物が倒れないように支える支持板４と、搬送された郵便物を郵便物集積装置の内部に導くガイド板５とを備える。ガイド板５と支持板４は対向するように設けられ、ガイド板５、支持板４、および側面板３は、底面板２上の空間を三方向から囲う。側面板３、支持板４、およびガイド板５は、底面板２に対して直立する。郵便物８０は、側面板３とは反対側から底面板２上に投入され、ガイド板５、支持板４、および側面板３によって囲まれた空間に集積される。郵便物８０は、立った状態で投入され、立った状態のまま集積される。以下、集積された郵便物を集積郵便物と記す。また、ガイド板５および側面板３において、郵便物を集積する空間を向いた面を表面と記す。また、郵便物を集積する空間とは反対側の面を背面と記す。図２は、側面板３の背面側の例を示す斜視図である。
【００１８】
郵便物８０は、図１に示すように２つのベルト８１，８２に挟まれることにより立った状態に保たれる。そして、ベルト８１，８２が郵便物８０を挟んで周回することにより、郵便物８０は搬送される。
【００１９】
底面板２において、頂点６０は、頂点６１よりも高い位置に配置される。同様に、頂点６３は、頂点６２よりも高い位置に配置される。このように配置することにより、底面板２は、郵便物が投入される側の辺５０が、側面板３が設けられる側の辺５１よりも高くなるように傾斜する。
また、頂点６２は、頂点６１よりも高い位置に配置される。同様に、頂点６３は、頂点６０よりも高い位置に配置される。このように配置することによって、底面板２は、ガイド板５が設けられる側の辺５２が、反対側の辺５３よりも高くなるように傾斜する。
【００２０】
ガイド板５は、屈折した平面板である。ガイド板５は、プレート２１の回転軸と支持板４との間に配置される。また、ガイド板５は、窓８を備え、回転するプレート２１の一部は、窓８から張り出す。図３は、底面板２に取り付けられたガイド板５から、プレート２１が張り出す状況の例を示す説明図である。図３に示すようにプレート２１の回転軸２２は、ガイド板５の背面に位置する。また、プレート２１の回転速度は一定である。
ガイド板５の屈折部分５ａは、郵便物８０が投入される側に設けられ、また、郵便物８０を集積する空間とは反対側に屈折する。屈折部分５ａは、投入された郵便物８０がプレート２１の回転軸２２の方向に進むことを防止する。
【００２１】
プレート２１は、１枚あるいは複数枚の羽根を備えた形状である。図３では、プレート２１が２枚の羽根２３ａ，２３ｂを備えた場合の例を示す。プレート２１が回転することによって、羽根２３ａ，２３ｂは、交互に窓８から張り出す。また、プレート２１は、窓８から張り出す羽根２３ａ，２３ｂが、辺５０側から辺５１側に移動するように回転する。例えば、図に示す例では、プレート２１は、郵便物集積装置の上方から見たときの回転方向が時計回りになるように回転する。投入された郵便物８０が窓８から交互に張り出す羽根２３ａ，２３ｂに接触すると、窓８から張り出している部分は辺５０側から辺５１側に移動するので、郵便物８０も側面板３の方向に運ばれる。側面板３は、郵便物８０の先端８０ａが側面板３に達したときに、郵便物８０の移動を停止させる。
プレート２１は、例えば、ゴム、プラスチック、シリコン、鉄等の材料によって作成される。ただし、プレート２１の材質は、これらのものに限定されず、他の材料によって作成されてもよい。
【００２２】
側面板３は、底面板２に対して垂直になるように設置される。底面板２は、辺５０が辺５１より高くなるように傾斜している。したがって、図１に示すように、側面板３は、郵便物集積装置が設置される面に対して傾斜角４１をなす。また、側面板３は、ガイド棒６を備える。
ガイド棒６は、保持摺動部７に通される。保持摺動部７は、ガイド棒６に沿って移動可能である。支持板４は、保持摺動部７に設けられ、保持摺動部７がガイド棒６に沿って移動することにより、支持板４とプレート２１の距離が変化する。また、側面板３は、保持摺動部７の移動を停止させるストッパ３ａ，３ｂを備える。支持板４は、プレート２１およびガイド板５に対向する。本例において、支持部材は、支持板４と、保持摺動部７とによって構成される。
【００２３】
保持摺動部７のガイド棒方向の長さは、支持板４の厚さよりも大きい。保持摺動部７がストッパ３ａに接触したときに支持板４とガイド板５との間に隙間ができるように、支持板４は保持摺動部７に設けられる。保持摺動部７がストッパ３ａに接触したときにできる隙間の幅は、プレート２１の羽根２３ａ，２３ｂが窓８から最も張り出すときの高さに合わせる。すなわち、保持摺動部７がストッパ３ａに接触している場合、羽根２３ａ，２３ｂが窓８から最も張り出したときに羽根２３ａ，２３ｂの先端が支持板４に接する。
【００２４】
郵便物集積装置は、側面板３の近傍に定滑車１１ａ〜１１ｄを備える。定滑車１１ａ〜１１ｄは、ブラケット（図面において図示せず。）に取り付けられ、このブラケットが側面板３に取り付けられる。
また、側面板３は、複数のばね１４，１５を支えるばね取付部１３を備える。ばね１４，１５は、定加重ばねではなく、伸びが大きくなれば、元の長さに復元しようとする力も大きくなるばねである。また、ばね１４，１５のばねの強さは異なる。ここでは、ばね１５は、ばね１４よりもばねの強さが強いものとする。各ばね１４，１５の先端には、それぞれ動滑車１２ｂ，１２ａが取り付けられる。
【００２５】
保持摺動部７には、ワイヤ１６の一端が取り付けられる。そして、ワイヤ１６の他端は、側面板３に設けられたワイヤ取付部１７に固定される。ワイヤ１６は、ワイヤ取付部１７側から、定滑車１１ａ、動滑車１２ａ、定滑車１１ｂ、動滑車１２ｂ、定滑車１１ｃ、定滑車１１ｄにかけられ、保持摺動部７に取り付けられる。ばね１４，１５が動滑車１２ａ，１２ｂを引っ張る力により、ワイヤ１６は、ワイヤ取付部１７と保持摺動部７との間で張られた状態になる。
【００２６】
底面板２は、辺５２の位置が辺５３よりも高くなるように傾けられている。したがって、郵便物８０が集積された場合、支持板４は、郵便物８０の重力を受ける。支持板４は、集積された郵便物の重力を受け、ガイド棒６に沿って押し下げられる。このとき、保持摺動部７に取り付けられたワイヤ１６が郵便物の重力により引っ張られるので、ばね１４が伸び、動滑車１２ｂがガイド板５の方向へ移動する。支持板４は、郵便物および支持板４の重力とばねの力が釣り合う位置まで移動する。ばね１４のばねの強さは、ばね１５よりも弱いので、ばね１４は、ばね１５よりも先に伸びる。また、背面板３は、ワイヤ１６に引っ張られて移動する動滑車の移動距離を制限するストッパ１８を備える。背面板３は、少なくとも、各ばねのうちで強さが最大でないばねに対応する動滑車の移動距離を制限するストッパ１８を備える。図２に示すストッパ１８は、強さが最大でないばね１４に対応する動滑車１２ｂの移動距離を制限する。弱い方のばね１４は、ワイヤ１６に引っ張られて伸びるが、伸びがある長さを越えると、ワイヤ１６がばね１４を引っ張ろうとする力と、ばね１４が元の長さに復元しようとする力の釣り合いがとれなくなる。ストッパ１８は、ばね１４の伸びがこの長さになったときに動滑車１２ｂの移動を止める位置に設けられる。集積郵便物が増加すると、ワイヤ１６が引っ張られ、ばね１４が伸びる。動滑車１２ｂがストッパ１８に当たると、その位置で動滑車１２ｂは止まる。その後、ばね１４より強いばね１５が支持板４を支えながら伸び、動滑車１２ａもガイド板５の方向へ移動する。なお、ばね１５は、動滑車１２ａがストッパ１８に当たる前から伸び始めている。
【００２７】
次に、動作について説明する。
郵便物が集積されていない状態では、保持摺動部７がワイヤ１６に引かれ、ストッパ３ａに接触する。このとき、支持板４とガイド板５との間に隙間が生じ、プレート２１の羽根２３ａ，２３ｂが窓８から最も張り出したときに、羽根２３ａ，２３ｂの先端が支持板４に接する。プレート２１は回転しているので、郵便物が集積されていない状態では、羽根２３ａ，２３ｂの先端が交互に現れ、プレート２１は支持板４に断続的に接触する。
【００２８】
郵便物８０は、ベルト８１，８２に挟まれ、立った状態のまま搬送される。周回するベルト８１，８２によって搬送された郵便物８０は、支持板４とガイド板５との間の隙間に投入される。ガイド板５の屈折部分５ａは、投入された郵便物８０が回転軸２２の方向に進むことを防止し、ガイド板５は、郵便物を、支持板４とガイド板５との間の隙間に導く。
【００２９】
底面板２は、辺５０が辺５１よりも高くなるように傾斜しているので、投入された郵便物８０は、窓８から張り出すプレート２１に達する。プレート２１は回転しているので、接触した郵便物８０を先端８０ａが側面板３に達するまで移動させる。窓８から張り出す羽根２３ａ，２３ｂの高さは、回転とともに変化する。したがって、側面板３に達した郵便物８０は、常にプレート２１に接触しているわけではなく、窓８から張り出す羽根２３ａ，２３ｂの高さが高くなったときに接触し、張り出す部分の高さが低くなったときには接触しない。このようにプレート２１は、断続的に郵便物８０に接触する。
【００３０】
また、底面板２は、辺５２が辺５３よりも高くなるように傾斜するので、郵便物８０は支持板４側に傾く。また、郵便物８０は、羽根２３ａ，２３ｂによって叩かれるので支持板４に押しあてられる。したがって、郵便物８０は、支持板４に押しあてられた状態で、支持板４によって支えられる。搬送された郵便物８０は、集積郵便物９０として集積される。
【００３１】
図４は、郵便物が集積されたときの側面板３の背面を示す説明図である。頂点６２は、頂点６１よりも高い位置に配置される。したがって、図４に示すように、底面板２は、水平面に対して傾斜角４２をなす。支持板４は、集積郵便物９０を支えているので、集積郵便物９０の重力を受ける。この重力により、保持摺動部７は、ストッパ３ｂの方向に向かう力を受け、保持摺動部７および支持板４はストッパ３ｂの方向に移動する。また、ワイヤ１６が、保持摺動部７に引っ張られ、動滑車が移動する。このとき、ばねの強さが弱い方のばね１４に取り付けられた動滑車１２ｂが先に移動を開始する。ばね１４は、動滑車１２ｂがワイヤ１６によって引っ張られることにより伸びる。
【００３２】
続いて搬送される郵便物も、同様に集積される。すなわち、郵便物は、回転するプレート２１によって先端が側面板３に達するまで移動する。また、底面板２は辺５２が辺５３よりも高くなるように傾斜しているので、郵便物は、支持板４側に傾く。そして、プレート２１に叩かれることによって、支持板４に押しあてられる。また、集積郵便物９０が増加することによって、保持摺動部７および支持板４は、ストッパ３ｂの方向に移動する。
【００３３】
図５は、集積郵便物９０が存在しているときに新たな郵便物８０が搬送されるときの状況を示す説明図である。図５（ａ）に示すように、集積郵便物９０の間に隙間が生じている状態が続くと、新たに搬送される郵便物８０の先端８０ａが集積郵便物９０の末端９０ｂに当たり、円滑に集積しにくくなる。しかし、各集積郵便物９０は、支持板４側に傾き、また、プレート２１によって叩かれるので、図５（ｂ）に示すように隙間なく集積する。したがって、新たに搬送される郵便物８０の先端８０ａは、集積郵便物９０の末端９０ｂに当たらず、円滑に集積することができる。
【００３４】
集積郵便物９０が増加し、支持板４に加えられる集積郵便物９０の重力が増加すると、ばね１４だけでなく、ばね１５も伸びる。すなわち、支持板４の移動によって、動滑車１２ｂだけでなく、動滑車１２ａもワイヤ１６によって引っ張られて移動する。ばね１４，１５は定加重ばねではなく、伸びが大きくなれば、元の長さに復元しようとする力も大きくなる。また、ばね１４の伸びがある長さを越えると、ワイヤ１６がばね１４を引っ張ろうとする力と、ばね１４が元の長さに復元しようとする力の釣り合いがとれなくなる。しかし、ばね１４の伸びがこの長さに達すると、ワイヤ１６に引っ張られる動滑車１２ｂの移動はストッパ１８によって止められる。したがって、力の釣り合いがとれずに支持板４とガイド板５との間隔が急に広がってしまうことはない。動滑車１２ｂの移動がストッパ１８に止められた後、ワイヤ１６は動滑車１２ａを移動させてばね１５を引っ張る。動滑車１２ｂの移動がストッパ１８に止められた後に増加した集積郵便物によって、ワイヤ１６が各ばね１４，１５を引っ張る力が増加すると、その増加分の力はばね１５のみにかかる。したがって、ばね１４，１５は、集積郵便物９０が増加しても、ワイヤ１６を介して保持摺動部７を引っ張ることができる。その結果、支持板４は、集積郵便物９０が増加しても集積郵便物９０を支えることができる。
【００３５】
本発明では、投入された郵便物８０が支持板４側に傾くように底面板２を傾斜させ、プレート２１の羽２３ａ，２３ｂによって集積郵便物を叩いて支持板４に押し当てている。したがって、底面板にベルトを設ける必要がないので、紙葉類集積装置の構成を簡略化することができる。
また、本発明では、強さの違うばね１４，１５を使用し、ばね１４が元の長さに復元しようとする力より大きな力でワイヤ１６が引っ張られても、ばね１４よりも強いばね１５が働く。したがって、集積郵便物が増加しても集積郵便物を支えることができる。また、複数のばねを用いることで、集積できる郵便物の量を増やすことができる。
さらに、集積郵便物は、窓８から張り出す羽根２３ａ，２３ｂの高さが高くなったときにプレート２１に接触する。したがって、プレート２１と集積郵便物との接触時間を短縮することができる。
【００３６】
上記の例では、２本のばねを用いた場合を示したが、３本以上のばねによってワイヤを引っ張る構成であってもよい。
【００３７】
また、上記の例では、プレート２１が羽根２３ａ，２３ｂを備える場合を示したが、プレート２１が備える羽根の枚数は、１枚であってもよく、また、３枚以上であってもよい。さらに、羽根の先端がＬ字型に曲がっていてもよい。図６は、四枚の羽根２３ｃ〜２３ｆを備え、各羽根の先端がＬ字型に曲がっている場合のプレートの例を示す。このようなプレートをガイド板５の背面に設けてもよい。
【００３８】
【発明の効果】
本発明によれば、立った状態で投入される紙葉類を集積する底面板と、底面板上に投入される紙葉類の移動を停止させる側面板と、回転することによって、投入される紙葉類に断続的に接触し、紙葉類を側面板の位置まで引き込むプレートと、プレートと対向し、立った状態で投入される紙葉類が底面板上に倒れることを防止する支持部材と、支持部材とプレートとの距離が変化するように支持部材を移動させるガイド棒と、支持部材をプレートの方向に引っ張るばね部材とを備え、底面板は、立った状態で投入される紙葉類が支持部材側に傾くように傾斜しているので、底面板にベルト等を設けなくても紙葉類は支持部材に押しあてられる。従って、簡易な構成の紙葉類集積装置を実現することができる。また、プレートは、断続的に紙葉類に接触するので、回転する部材と紙葉類との接触時間を短縮することができる。さらに、各紙葉類は、支持部材側に傾き、また、プレートによって叩かれるので、隙間なく集積する。したがって、新たに搬送される紙葉類の先端は、先の紙葉類の末端に当たらず、円滑に集積することができる。
【図面の簡単な説明】
【図１】本発明による紙葉類集積装置の一例である郵便物集積装置を示す斜視図である。
【図２】側面板の背面側から見た郵便物集積装置の例を示す斜視図である。
【図３】ガイド板からプレートが張り出す状況の例を示す説明図である。
【図４】郵便物が集積されたときの側面板の背面を示す説明図である。
【図５】新たな郵便物が搬送されるときの状況を示す説明図である。
【図６】他のプレートの形状の例を示す説明図である。
【図７】従来の紙葉類集積装置の例を示す斜視図である。
【図８】ベルトが集積紙葉類を支持板に押しあてる状態を示す説明図である。
【符号の説明】
２  底面板
３  側面板
４  支持板
５  ガイド板
６  ガイド棒
８  窓
１１ａ〜１１ｂ  定滑車
１２ａ，１２ｂ  動滑車
１４，１５  ばね
１６  ワイヤ
１８  ストッパ
２１  プレート
２２  回転軸
２３ａ，２３ｂ  羽根
【図１】
0003617505.tif 000002
【図２】
0003617505.tif 000003
【図３】
0003617505.tif 000004
【図４】
0003617505.tif 000005
【図５】
0003617505.tif 000006
【図６】
0003617505.tif 000007
【図７】
0003617505.tif 000008
【図８】
0003617505.tif 000009